(57)【要約】      （修正有）【課題】ミキサーにおいて、回転軸のシールリングの長時間使用による変質、防水効果の低下を防止できるカッター軸受装置を提供する。【解決手段】この装置は、上部に貫通穴１１、及び内部に物置槽１２を有する軸受台１、軸受台１を貫通した回転シャフト３、軸受台１の物置槽１２内に設けられた軸受カバー４、及び軸受カバー４内に設けられた二つの軸受５ａ、５ｂを備えてなる。又、物置槽１２は、軸受カバー４を入れるための大スロット１３、及び大スロット１３の上に設けられ、貫通穴１１につながる小スロット１４を有し、小スロット１４内に、回転シャフト３が挿通可能な防水機能を有する第一、第二シールリング６ａ、６ｂが設けられる。この場合、第二シールリング６ｂは軸受カバー４の上部に貼り付けられることが好ましい。【選択図】図１
0003163160.tif 000002
【実用新案登録請求の範囲】
【請求項１】
中央に貫通形成される貫通穴（１１）及び当該貫通穴（１１）の周囲に形成される物置槽（１２）を有する軸受台（１）と、
前記軸受台（１）の貫通穴（１１）に貫通される回転シャフト（３）と、
前記回転シャフト（３）の上部に取り付けられるカッター（２）と、
前記軸受台（１）の底部側で前記回転シャフト（３）に結合される伝動ギア（８）と、
前記軸受台（１）の物置槽（１２）内に設けられる軸受カバー（４）と、
前記軸受カバー（４）内に重ねられて設けられる二つの軸受（５ａ、５ｂ）とを備え、
前記物置槽（１２）は、前記軸受カバー（４）を入れるための大スロット（１３）、及び大スロット（１３）上に設けられ、貫通穴（１１）とつながる小スロット（１４）とを有し、小スロット（１４）内に、回転シャフト（３）が挿通可能な、防水機能を有する第一シールリング（６ａ）と第二シールリング（６ｂ）が設けられる、
ことを特徴とするミキサーのカッター軸受装置。
【請求項２】
第二シールリング（６ｂ）の底面は、軸受カバー（４）の上部に貼り付けられ、両者の間に隙間がなくされることを特徴とする請求項１に記載のミキサーのカッター軸受装置。
【請求項３】
二つのシールリング（６ａ、６ｂ）はテフロン（登録商標）リングであり、回転シャフト（３）を嵌めるための薄形ソフト内筒（６１）、小スロット（１４）面に接する厚形ハード外筒（６２）、及びソフト内筒（６１）とハード外筒（６２）の間をつなぐ厚底盤（６４）を備えてなることを特徴とする請求項１または請求項２に記載のミキサーのカッター軸受装置。
【請求項４】
二つのシールリング（６ａ、６ｂ）におけるソフト内筒（６１）の外壁には、フレキシブルリング（６３）が設けられ、ソフト内筒（６１）の上部の外縁に、外周方向に突出するフレキシブルリング抜け防止用ストッパーリング（６５）が設けられることを特徴とする請求項３に記載のミキサーのカッター軸受装置。
【請求項５】
軸受カバー（４）の上部に、軸方向に突出する頸状開口（４４）が設けられ、第二シールリング（６ｂ）の底面に、頸状開口（４４）を合わせるための位置決めスロット（６７）が設けられることを特徴とする請求項３に記載のミキサーのカッター軸受装置。
【請求項６】
軸受カバー（４）の外壁に、同じ軸方向で、同じ間隔を置いて並んだ複数の長いレリーフ（４１）が設けられ、長いレリーフ（４１）と長いレリーフ（４１）の間に、導流機能を有する導流槽（４３）が形成されることを特徴とする請求項３に記載のミキサーのカッター軸受装置。
【考案の詳細な説明】
【技術分野】
【０００１】
本考案は、ミキサーのカッター軸受装置に関する。
【背景技術】
【０００２】
一般のミキサーは、液体が容器底部の軸受台内に流されないように、密閉防水構造を有しているが、液体を軸受台内へ流さないようにするための防水部品に通常、密封リングと防水リングが使用されており、これにより、内部の軸受に浸水により錆が発生したり、また雑音が発生したりすることがない。
【考案の概要】
【考案が解決しようとする課題】
【０００３】
しかしながら、このような密封リングと防水リングの使用により、問題の全部が解決されるものではなく、これらの密封リングと防水リングは使用寿命があり、長時間使用されると、変質し、防水効果が低減するというまた別の問題がある。それゆえ、この問題の発生を防ぐことが、本考案の解決しようとする課題である。
【０００４】
本考案は、上述の問題点を解決するためのミキサーのカッター軸受装置を提供すること、を目的とする。
【課題を解決するための手段】
【０００５】
上記目的を達成するために、本考案は、中央に貫通穴（１１）が設けられた軸受台（１）が備わり、軸受台（１）内には、貫通穴（１１）とつながる物置槽（１２）が設けられており、軸受台（１）を貫通した回転シャフト（３）が備わり、該回転シャフト（３）の上部にカッター（２）と、底部に伝動ギア（８）と結合しており、軸受台（１）の物置槽（１２）内に設けられた軸受カバー（４）が備わり、及び該軸受カバー（４）内に重ねられた二つの軸受（５ａ、５ｂ）を備えてなるミキサーのカッター軸受装置であり、該物置槽（１２）は、軸受カバー（４）を入れるための大スロット（１３）、及び大スロット（１３）上に設けられ、貫通穴（１１）とつながっている小スロット（１４）を備えてなり、小スロット（１４）内には、回転シャフト（３）が通り、防水機能を有する第一シールリング（６ａ）と第二シールリング（６ｂ）が設けられていること、を要旨とする。
該第二シールリング（６ｂ）の底面は、軸受カバー（４）の上部に貼り付け、両者の間に隙間がないように設けられていることが好ましい。
二つの該シールリング（６ａ、６ｂ）はテフロン（登録商標）リングであり、回転シャフト（３）を嵌めるための薄形ソフト内筒（６１）、及び小スロット（１４）面に接した厚形ハード外筒（６２）を備えてなるものであり、ソフト内筒（６１）とハード外筒（６２）の間には、厚底盤（６４）でつながるように設けられていることが好ましい。
二つの該シールリング（６ａ、６ｂ）におけるソフト内筒（６１）の外壁には、フレキシブルリング（６３）が設けられており、ソフト内筒（６１）の上部の外縁には、外にはみ出したフレキシブルリング抜け防止用ストッパーリング（６５）が設けられていることが好ましい。
該軸受カバー（４）の上部には、突出した頸状開口（４４）が設けられ、第二シールリング（６ｂ）の底面には、頸状開口（４４）に合わせるための位置決めスロット（６７）が設けられていることが好ましい。
該軸受カバー（４）の外壁には、同じ軸向で、同じ間隔を置いて並んだ複数の長いレリーフ（４１）が設けられ、長いレリーフ（４１）と長いレリーフ（４１）の間に、導流機能を有する導流槽（４３）が形成されていることが好ましい。
【考案の効果】
【０００６】
本考案は上記の構成により次のような効果を奏する。
（ａ）該軸受台１の物置槽（１２）は、大小二スロット（１３、１４）が設けられており、小スロット（１４）内は、二シールリング（６ａ、６ｂ）が収納されるが、該二シールリング（６ａ、６ｂ）は、回転シャフト（３）に合わせたあと、二つの防水ユニットが形成されるが、大スロット（１３）内は軸受カバー（４）が収納され、該軸受カバー（４）は、二つの軸受（５ａ、５ｂ）を収納、覆うように設けられていることで、液体が軸受カバー（４）内へ流れ込んで、軸受（５ａ、５ｂ）に錆が発生することを避けられる。
（ｂ）第二シールリング（６ｂ）の底面は、軸受カバー（４）の上部に貼り付け、両者の間に間隙がなくなることで、浸水防止が効果的になる。
（ｃ）テフロン（登録商標）製の二つのシールリング（６ａ、６ｂ）は、耐高温に優れ、回転シャフトを嵌めるための薄形ソフト内筒（６１）、及び小スロット（１４）面に接した厚形ハード外筒（６２）を備えてなるものであり、ソフト内筒（６１）とハード外筒（６２）の間には、厚底盤（６４）でつながるように設けられていることで、二つのシールリング（６ａ、６ｂ）は小スロット（１４）内で、安定し、動かないことになる。
（ｄ）ソフト内筒（６１）の外壁には、フレキシブルリング（６３）を設けることで、ソフト内筒（６１）が、回転シャフト（３）にぴったりと接触し、ソフト内筒（６１）の上部の外縁のストッパーリング（６５）がフレキシブルリング（６３）抜けを防ぐ。
（ｅ）軸受カバー（４）の上部には、突出した頸状開口（４４）が設けられ、第二シールリング（６ｂ）の底面にある位置決めスロット（６７）に合わせることで、よりしっかりと合わせるようになる。
（ｆ）軸受カバー（４）の外壁には、同じ軸方向で、同じ間隔を置いて並んだ複数の長いレリーフ（４１）及び導流槽（４３）を設けたことで、流れ込んだ液体が、導流槽（４３）に沿って下へと流れ、軸受カバー（４）内に入らず、軸受（５ａ、５ｂ）に水が溜まる問題もなくなる。
【図面の簡単な説明】
【０００７】
【図１】本考案の一実施の形態におけるカッター軸受装置の断面図
【図２】同カッター軸受装置の分解斜視図
【図３】同カッター軸受装置が採用されるミキサー全体の斜視図
【図４】同カッター軸受装置の二シールリング間に中間パッドが増設された状態を示す断面図
【図５】本考案のまた別の実施の形態におけるカッター軸受装置の断面図
【図６】同カッター軸受装置の分解斜視図
【図７】同カッター軸受装置の斜視図
【考案を実施するための形態】
【０００８】
次に、この考案を実施するための形態について図を用いて説明する。図１〜図３に示すように、カッター軸受装置は、ミキサー容器の底部（図３）に設けられ、上下面の中央に貫通される貫通穴１１、及び内部に貫通穴１１の周囲に筒状に形成される物置槽１２を有する軸受台１と、軸受台１の貫通穴１１に貫通される回転シャフト３と、回転シャフト３の上部に取り付けられるカッター２と、軸受台１の底部側で回転シャフト３に結合される伝動ギア８と、軸受台１の物置槽１２内の下部側に設けられる軸受カバー４と、軸受カバー４内に上下に重ねて設けられる二つの軸受５ａ、５ｂと、軸受台１の外周面に設けられる防水用Ｏ形ゴムリング１５とを備えてなる。
【０００９】
この場合、物置槽１２は、下部側に軸受カバー４を入れるための大スロット１３が形成され、上部側で大スロット１３の上に、貫通穴１１につながる小スロット１４が形成され、小スロット１４内に、回転シャフト３が挿通可能な、防水機能を有する第一シールリング６ａと第二シールリング６ｂが設けられる。
【００１０】
このように軸受台１の物置槽１２は、大小二スロット１３、１４が設けられて、小スロット１４内に、二シールリング６ａ、６ｂが収納され、これら二シールリング６ａ、６ｂに回転シャフト３が通されるので、二つの防水ユニットとして機能し、そして、大スロット１３内に軸受カバー４が収納され、軸受カバー４に二つの軸受５ａ、５ｂを収納されて覆われるので、液体が軸受カバー４内へ流れ込んで、軸受５ａ、５ｂに錆が発生することが避けられる。
【００１１】
図４にさらに好ましい別の防水構造を示している。なお、図１及び図４中、共通の部品に同一の符号を付してある。図４に示すように、二つのシールリング６ａ、６ｂは耐高温に優れるテフロン（登録商標）リングで、回転シャフト３を嵌めるための薄形ソフト内筒６１、小スロット１４の内周面に接する厚形ハード外筒６２、及びソフト内筒６１とハード外筒６２の間をつなぐ厚底盤６４を備えてなる。二つのシールリング６ａ、６ｂは重ねて小スロット１４内に設けられ、ハード外筒６２が支持体として、小スロット１４にしっかりと突き止め、安定して動かないように固定されて、液体が小スロット１４の壁面とハード外筒６２の間から流れ込むのを防止する。一方、ソフト内筒６１は、弾力性があり、その中に回転シャフト３が貫通されて包囲され、これにより、剛性回転シャフト３で二つのシールリング６ａ、６ｂが破損させられる可能性が低減される。
【００１２】
また、第一シールリング６ａと第二シールリング６ｂの間にパッド７が設けられ、二つのシールリング６ａ、６ｂが隔てられることで、相互の摩擦による損傷が避けられる。
さらに、二つのシールリング６ａ、６ｂにおけるソフト内筒６１の外壁には、フレキシブルリング６３が設けられ、また、ソフト内筒６１の上部に、外周方向に延びる（突出する）フレキシブルリング６３抜け防止用ストッパーリング６５が設けられる。このフレキシブルリング６３により、ソフト内筒６１に回転シャフト３がしっかり接触して嵌め合わされ、かつソフト内筒６１の上部外縁のストッパーリング６５でフレキシブルリング６３の抜けが防止されて好適な密封作用を果たす。また、軸受カバー４の上部は、軸方向（上方）に突出する頸状開口４４が設けられ、第二シールリング６ｂの底面に、頸状開口４４を合わせるための位置決めスロット６７が設けられて、これらがしっかりと合わせられ、好適な密封効果と安定性を果たす。
【００１３】
図５〜７に第２の実施の形態を示している。これらの図に示すように、第二シールリング６ｂの底面は、軸受カバー４の上部に貼り付けられて、両者の間に隙間がなくなり、この場合、樹脂または熱可塑性樹脂で粘着されて、両者の粘着により、浸入防止がより効果的になる。
【００１４】
また、軸受カバー４の外壁には、同じ軸方向で、同じ間隔を置いて並んだ複数の長いレリーフ４１が設けられ、長いレリーフ４１と長いレリーフ４１の間に、導流機能を有する導流槽４３が形成される。これにより、もし、液体が回転シャフト３から軸受台１の小スロット１４、大スロット１３へ流れ込んだら、二つの軸受５ａ、５ｂの運転にマイナスな影響を与え、錆の発生原因になるが、このとき、二つの軸受５ａ、５ｂを保護するための軸受カバー４によって、液体が軸受カバー４内に入ることがなく、また、軸受カバー４の表面に設けられた導流槽４３によって、液体がうまく下へ排出され、水が溜まるという問題も生じることがない。
【符号の説明】
【００１５】
１  軸受台
１１  貫通穴
１２  物置槽
１３  大スロット
１４  小スロット
１５  Ｏ形ゴムリング
２  カッター
３  回転シャフト
４  軸受カバー
４１  長いレリーフ
４２  導流槽
４４  頸状開口
５ａ、５ｂ  軸受
６ａ  第一シールリング
６ｂ  第二シールリング
６１  ソフト内筒
６２  ハード外筒
６３  フレキシブルリング
６４  底盤
６５  ストッパーリング
６７  位置決めスロット
７  パッド
８  伝動ギア
【図１】
0003163160.tif 000003
【図２】
0003163160.tif 000004
【図３】
0003163160.tif 000005
【図４】
0003163160.tif 000006
【図５】
0003163160.tif 000007
【図６】
0003163160.tif 000008
【図７】
0003163160.tif 000009